(57)【特許請求の範囲】
【請求項１】
共鳴胴を備えた弦楽器のサドルに取り付ける振動抑制器を少なくとも有する消音具であり、
前記振動抑制器は、前記サドルの両側面を挟んで固定されるほぼ同質量の一対の金属製錘を有し、
前記一対の金属製錘は、共鳴胴側と前記サドルの両側面を挟んで固定する側と反対側に連続して開口する凹み部を有し、
前記凹み部により形成される前記挟んで固定する側の壁部に弦案内溝を所定間隔で形成した形状であり、
前記一対の金属製錘の前記壁部により前記サドルの両側面を挟んで取り付け、  前記一対の締付ねじを締め付けて固定し、
前記サドルに取り付けた弦を、前記弦案内溝と前記凹み部に非接触として配置したことを特徴とする消音具。
【請求項２】
前記一対の金属製錘は、一対の金属製錘の取付状態で対向する面の間において連結ピンにより連結し、一対の締付ねじを螺着して仮止め状態にし、
前記一対の金属製錘の前記壁部により前記サドルの両側面を挟んで取り付け、前記一対の締付ねじを締め付けて固定することを特徴とする請求項１に記載の消音具。
【請求項３】
共鳴胴を備えた弦楽器のサドルに取り付ける請求項１または請求項２に記載の振動抑制器と、前記共鳴胴に着脱可能な板状防振部材を少なくとも有する消音具であり、
前記板状防振部材は、前記共鳴胴に設けられたサウンドホールを塞ぐ部分と、  前記共鳴胴のブリッジの周りを取り囲むように切り欠き部を有する弦方向に対して左右に分割した部分とで構成され、
前記板状防振部材に外周を連続して残してシート取付凹部を形成し、
前記シート取付凹部に両面接着テープによって吸着シートを貼付し、
前記板状防振部材は、前記吸着シートによって前記共鳴胴に着脱自在であることを特徴とする消音具。
【請求項４】
共鳴胴を備えた弦楽器のサドルに取り付ける請求項１または請求項２に記載の振動抑制器と、前記共鳴胴に着脱可能な板状防振部材を少なくとも有する消音具であり、
前記板状防振部材は、少なくとも前記共鳴胴に設けられたサウンドホールを塞ぐことを特徴とする消音具。
【請求項５】
共鳴胴を備えた弦楽器のサドルに取り付ける請求項１または請求項２に記載の振動抑制器と、前記共鳴胴に着脱可能な板状防振部材を少なくとも有する消音具であり、
前記共鳴胴を備えた弦楽器のサドルの後方で、かつネックと逆方向の位置に、
前記着脱自在な板状防振部材の上面にイヤフォンを通して消音された演奏を通常の音量で聴くことを可能にする電子モジュールを有し、
前記電子モジュールには、底部に係合突起が複数箇所に形成され、
前記電子モジュールは、前記係合突起が前記板状防振部材の電子モジュール取付穴にはまることで回り止めとなり、前記板状防振部材の上面に配置され、
前記電子モジュールに備えた前記マイクロフォンを前記板状防振部材の上面に密着したことを特徴とする消音演奏具。
【発明の詳細な説明】
【技術分野】
【０００１】
この発明は、ギター、バイオリン、マンドリン等の共鳴胴を有する弦楽器において、弾き心地を損ねることなく、音量を抑制し、かつ簡単、確実に使用、取り付けが可能な消音具及び消音演奏具に関する。
【背景技術】
【０００２】
従来、弦楽器において音量を抑制する消音具としては、取り外し可能なブリッジサイレンサが提案されている（特許文献１）。また、ウレタンや粘着テープで弦を挟み込む消音器が販売され、さらに弦楽器の表面板に特殊なシートを装着して、表面板の振動を抑制することによって、弦の感触と音程に影響を与えず弱音効果を得る消音器が提案されている。他にも、表面板や共鳴胴を持たない練習専用の楽器がある（特許文献２）。
【先行技術文献】
【特許文献】
【０００３】
【特許文献１】特開２００６−２８５０７８号公報
【特許文献２】特開２００５−６２７８３号公報
【発明の概要】
【発明が解決しようとする課題】
【０００４】
従来のような弦楽器に取り外し可能なブリッジサイレンサでは、十分に音量を抑制することができず、しかも簡単かつ確実に固定することが困難であるとともに、演奏の邪魔になったり、ブリッジから外れやすいなどの問題がある。
【０００５】
また、ウレタンや粘着テープで弦を挟み込む消音器や弦楽器の表面板に特殊なシートを装着して、表面板の振動を抑制することによって弱音効果を得る消音器では、振動抑制に安定した効果が得られず、弦の自然な振動に悪影響を及ぼすことから、奏者は普段通りのタッチ感で演奏ができなかった。
【０００６】
また、表面板や共鳴胴を持たない練習専用の楽器は、普段演奏する楽器と全く異なるものを使用するため、弱音効果は得られるもののタッチ感の違いから実際の練習効果が薄いなどの問題があった。
【０００７】
この発明は、かかる点に鑑みてなされたもので、音程や表現力、またタッチ感といった種々の演奏感覚の違和感を最小限に抑えながらも、弦楽器に対し高い弱音効果を挙げ、かつ簡単、確実に使用、取り付けが可能である消音具及び消音演奏具を提供することを目的とする。
【課題を解決するための手段】
【０００８】
前記課題を解決し、かつ目的を達成するために、この発明は、以下のように構成した。
【０００９】
請求項１に記載の発明は、共鳴胴を備えた弦楽器のサドルに取り付ける振動抑制器を少なくとも有する消音具であり、
前記振動抑制器は、前記サドルの両側面を挟んで固定されるほぼ同質量の一対の金属製錘を有し、
前記一対の金属製錘は、共鳴胴側と前記サドルの両側面を挟んで固定する側と反対側に連続して開口する凹み部を有し、
前記凹み部により形成される前記挟んで固定する側の壁部に弦案内溝を所定間隔で形成した形状であり、
前記一対の金属製錘の前記壁部により前記サドルの両側面を挟んで取り付け、  前記一対の締付ねじを締め付けて固定し、
前記サドルに取り付けた弦を、前記弦案内溝と前記凹み部に非接触として配置したことを特徴とする消音具である。
請求項２に記載の発明は、前記一対の金属製錘は、一対の金属製錘の取付状態で対向する面の間において連結ピンにより連結し、一対の締付ねじを螺着して仮止め状態にし、
前記一対の金属製錘の前記壁部により前記サドルの両側面を挟んで取り付け、  前記一対の締付ねじを締め付けて固定することを特徴とする請求項１に記載の消音具である。
【００１０】
請求項３に記載の発明は、共鳴胴を備えた弦楽器のサドルに取り付ける請求項１または請求項２に記載の振動抑制器と、前記共鳴胴に着脱可能な板状防振部材を少なくとも有する消音具であり、前記板状防振部材は、前記共鳴胴に設けられたサウンドホールを塞ぐ部分と、前記共鳴胴のブリッジの周りを取り囲むように切り欠き部を有する弦方向に対して左右に分割した部分とで構成され、
前記板状防振部材に外周を連続して残してシート取付凹部を形成し、前記シート取付凹部に両面接着テープによって吸着シートを貼付し、前記板状防振部材は、前記吸着シートによって前記共鳴胴に着脱自在であることを特徴とする消音具である。
請求項４に記載した発明は、共鳴胴を備えた弦楽器のサドルに取り付ける請求項１または請求項２に記載の振動抑制器と、前記共鳴胴に着脱可能な板状防振部材を少なくとも有する消音具であり、前記板状防振部材は、少なくとも前記共鳴胴に設けられたサウンドホールを塞ぐことを特徴とする消音具である。
【００１１】
請求項５に記載の発明は、共鳴胴を備えた弦楽器のサドルに取り付ける請求項１または請求項２に記載の振動抑制器と、前記共鳴胴に着脱可能な板状防振部材を少なくとも有する消音具であり、
前記共鳴胴を備えた弦楽器のサドルの後方で、かつネックと逆方向の位置に、
前記着脱自在な板状防振部材の上面にイヤフォンを通して消音された演奏を通常の音量で聴くことを可能にする電子モジュールを有し、
前記電子モジュールには、底部に係合突起が複数箇所に形成され、
前記電子モジュールは、前記係合突起が前記板状防振部材の電子モジュール取付穴にはまることで回り止めとなり、前記板状防振部材の上面に配置され、
前記電子モジュールに備えた前記マイクロフォンを前記板状防振部材の上面に密着したことを特徴とする消音演奏具である。
【発明の効果】
【００１２】
請求項１及び請求項２に記載の発明では、振動抑制器は、サドルの両側面を挟んで固定されるほぼ同質量の一対の金属製錘を有し、サドルに取り付けた弦を、弦案内溝と凹み部に非接触として配置したことで、振動を確実に抑制することができる。また、一対の金属製錘は、弦楽器に簡単かつ確実に取り付けることができる。
【００１３】
請求項３及び請求項４に記載の発明では、請求項１または請求項２に記載の振動抑制器を有するとともに、共鳴胴に着脱自在である板状防振部材により少なくとも共鳴胴に設けられたサウンドホールを塞いで防振するとともに、板状防振部材は、シート取付凹部を有し、シート取付凹部に両面接着テープによって吸着シートを貼付することで、吸着シートによって共鳴胴に着脱自在となる。また、板状防振部材によって吸着シートの外周が保護されていることから、長期間使用することができる。
【００１４】
請求項５に記載の発明では、共鳴胴を備えた弦楽器のサドルに取り付ける請求項１または請求項２に記載の振動抑制器と、前記共鳴胴に着脱可能な板状防振部材を少なくとも有する消音具であり、電子モジュールが、サドルの後方で、かつネックと逆方向の位置に、ネックと逆方向に着脱自在な板状防振部材の上面に、電子モジュールが、係合突起が板状防振部材の電子モジュール取付穴にはまることで回り止めとなり、板状防振部材の上面に配置され、電子モジュールに備えたマイクロフォンを板状防振部材の上面に密着したことで、イヤフォンを通して消音された演奏を通常の音量で聴くことができる。
【図面の簡単な説明】
【００１５】
【図１】消音具の第１の実施の形態の振動抑制器の平面図である。
【図２】振動抑制器の側面図である。
【図３】振動抑制器の底面図である。
【図４】振動抑制器の金属製錘の側面図である。
【図５】振動抑制器の金属製錘の側面図である。
【図６】消音具を取り付けた弦楽器の平面図である。
【図７】弦楽器に振動抑制器を取り付けた状態の平面図である。
【図８】図７のＡ−Ａ断面図である。
【図９】図７のＢ−Ｂ断面図である。
【図１０】消音具の第２の実施の形態の板状防振部材を示す図である。
【図１１】他の板状防振部材を示す図である。
【図１２】他の板状防振部材を示す図である。
【図１３】消音演奏具を示す図である。
【発明を実施するための形態】
【００１６】
以下、この発明の消音具及び消音演奏具の実施の形態について説明する。この発明の実施の形態は、発明の最も好ましい形態を示すものであり、この発明はこれに限定されない。
【００１７】
［消音具の第１の実施の形態］
この消音具の第１の実施の形態を、図１乃至図９に基づいて説明する。この第１の実施の形態は、弦楽器の共鳴胴に備えたサドルに取り付ける振動抑制器１０を少なくとも有する消音具である。この実施の形態の弦楽器は、クラシックギターを用いているが、アコースティックギターにも同様に適用でき、さらにギターに限らず、バイオリン、マンドリン等の共鳴胴を有する弦楽器に適用できる。  
【００１８】
振動抑制器１０は、一対の金属製錘１１，１２と、一対の締付ねじ１３，１４と、一対のバネ１５，１６と、３本の連結ピン１７〜１９を有する。この一対の金属製錘１１，１２は、ほぼ同質量であり、総重量が２００ｇ以上が好ましく、例えばステンレス、鉄、銅などで形成される。この一対の金属製錘１１，１２は、裏側に凹み部１１ａ，１２ａを形成し、この凹み部１１ａ，１２ａに連通して弦案内溝１１ｆ、１２ｆを所定間隔で形成し、弦案内溝１１ｆ、１２ｆに弦を位置させ、一対の金属製錘１１，１２をサドルを挟んで固定した状態で弦に非接触になるようにしている。一対の金属製錘１１，１２は、裏側に凹み部１１ａ，１２ａを形成し、この凹み部１１ａ，１２ａに連通して弦案内溝１１ｆ、１２ｆを所定間隔で形成した複雑な形状であり、切削加工などでは高価なものとなってしまうが、例えばロストワックスや金属焼結などの方法で製作することで安価に製造が可能となる。
【００１９】
一方の金属製錘１１の両側には、それぞれ取り付け孔１１ｂが形成され、他方の金属製錘１２の両側には、それぞれ取り付けねじ孔１２ｂが形成されている。また、一対の金属製錘１１，１２には、取付状態で対向する面から連結ピン挿入穴１１ｃ，１２ｃが３箇所に形成されている。
【００２０】
この一対の金属製錘１１，１２の取付は、一対の金属製錘１１，１２の取付状態で対向する面の間において取り付け孔１１ｂと取り付けねじ孔１２ｂの位置に一対のバネ１５，１６を配置し、かつ３本の連結ピン１７〜１９を連結ピン挿入穴１１ｃ，１２ｃに挿入して連結し、一対の締付ねじ１３，１４を取り付け孔１１ｂから取り付けねじ孔１２ｂに螺着して仮止め状態にする。      
【００２１】
この仮止め状態の一対の金属製錘１１，１２を、図６乃至図９に示すように、弦楽器９０の共鳴胴９１に備えたサドル９２の両側面に一対の金属製錘１１，１２が位置するように差し込んでサドル９２を挟んで一対の締付ねじ１３，１４を取り付けねじ孔１２ｂに螺着して固定し、かつ弦９３に非接触にする。サドル９２はブリッジ９４に設けられている。
【００２２】
このように、振動抑制器１０は、一対の金属製錘１１，１２が、３本の連結ピン１７〜１９により連結されるとともに、一対の締付ねじ１３，１４で固定され、弦楽器９０に簡単かつ確実に取り付けることができる。また、サドル９２の両側面にほぼ同質量の一対の金属製錘１１，１２を配置し、この一対の金属製錘１１，１２でサドル９２を挟んで固定する構造で、対面する一対の金属製錘１１，１２は両側の一対の締付ねじ１３，１４で引き合い、サドル９２の両側面にしっかりと固定されるため、容易に外れない。
【００２３】
また、一対の金属製錘１１，１２は、ほぼ同質量であり、サドル９２の両側面を挟んで固定され、一対の金属製錘１１，１２をサドル９２に取り付けることで、共鳴胴に伝わる振動が減少して音量が下がる。このように、サドル９２の両側にほぼ同質量の一対の金属製錘１１，１２を配置するため、サドル９２にかかる重量バランスが保たれ、サドル９２にかかる負荷が均一となり、共鳴胴９１の振動抑制に安定した効果が得られる。また、例えば、一対の金属製錘１１，１２の重量が異なった場合、一対の金属製錘１１，１２がサドル９２の一方に傾いてしまうが、一方、一対の金属製錘１１，１２の重量がほぼ同等である場合、ブリッジ９４の上に安定して置かれるため、一対の締付ねじ１３，１４で一対の金属製錘１１，１２をサドル９２に容易に取り付けることが可能となる。
【００２４】
また、一対の金属製錘１１，１２は、サドル９２に取り付けた弦９３に非接触とする凹み部１１ａ，１２ａを有し、この一対の金属製錘１１，１２は弦案内溝１１ｆ、１２ｆに弦を位置させて一切弦に触れない構造であるため、弦９３の自然な振動に悪影響を及ぼすことがなく、奏者は普段通りのタッチ感で演奏が可能となり、ハーモニクス演奏も可能であり、演奏感覚への違和感を最小限に抑え、弦楽器９０の音程と表現力にできるだけ影響を与えずに高い弱音効果を得られる。
【００２５】
［消音具の第２の実施の形態］  
この消音具の第２の実施の形態を、図６、図１０乃至図１２に基づいて説明する。この消音具の第２の実施の形態は、弦楽器９０の共鳴胴９１に備えたサドル９２に取り付ける振動抑制器１０と、共鳴胴９１に着脱可能な板状防振部材２０〜２２を少なくとも有する消音具である。振動抑制器１０は、消音具の第１の実施の形態で詳細に説明したから、説明を省略する。
【００２６】
この実施の形態の板状防振部材２０は、図１０に示すように、シート取付凹部２０ａを有し、このシート取付凹部２０ａに両面接着テープ２０ｂによって吸着シート２０ｃを貼付し、板状防振部材２０は、吸着シート２０ｃによって共鳴胴に着脱自在である。
【００２７】
この板状防振部材２０は、図６に示すように、サウンドホール９５を塞ぐカバーであり、板状防振部材２０はゴム板で形成され、厚さが２ｍｍ〜３ｍｍ程度であり、サウンドホール９５を塞ぐことで、音量が下がる。ゴム板としては、ゴムに近い物性を持つエラストマーも含まれ、素材の比重が高くなれば防振効果が高くなり、比重を向上させるためにはゴム板に金属粉などを混ぜ込むことも可能である。吸着シート２０ｃは、表面が吸着構造となっており、押し付けることで吸着構造の表面が負圧になって吸着することで、貼ったりはがしたり、繰り返しの使用が可能である。
【００２８】
このように、板状防振部材２０は、シート取付凹部２０ａに両面接着テープ２０ｂによって吸着シート２０ｃを貼付し、吸着シート２０ｃによって共鳴胴９１に着脱自在であり、板状防振部材２０によって吸着シート２０ｃの外周が囲まれて保護されていることから、長期間使用することができる。
【００２９】
この板状防振部材２１，２２は、図１１及び図１２に示すように、共鳴胴９１のブリッジ９４の周りを取り囲むように切り欠き部２１Ｄ，２２Ｄを有し、シート取付凹部２１ａ，２２ａが形成され、このシート取付凹部２１ａ、２２ａに両面接着テープ２１ｂ，２２ｂによって吸着シート２１ｃ，２２ｃを貼付し、板状防振部材２１，２２は、吸着シート２１ｃ，２２ｃによって共鳴胴９１にブリッジ９４の周りを取り囲むように着脱自在である。
【００３０】
板状防振部材２１，２２は、ゴム板で形成され、厚さが４ｍｍ〜６ｍｍ程度であり、共鳴胴９１に取り付けることで音量が下がる。ゴム板としては、ゴムに近い物性を持つエラストマーも含まれ、素材の比重が高くなれば防振効果が高くなり、比重を向上させるためにはゴム板に金属粉などを混ぜ込むことも可能である。吸着シート２１ｃ，２２ｃは、表面が吸着構造となっており、貼ったりはがしたり、繰り返しの使用が可能である。
【００３１】
［消音演奏具の実施の形態］
この消音演奏具の実施の形態を、図６、図１２及び図１３に基づいて説明する。この消音演奏具の実施の形態は、サドル９２の後方で、かつネック９９と逆方向の位置に、板状防振部材２２の上面の取付部２２Ｅに配置され、イヤフォン３１を通して演奏を通常の音量で聴くことを可能にする電子モジュール３０を有する。
【００３２】
この板状防振部材２２は、消音具の第２の実施の形態と同様に構成される。
【００３３】
この電子モジュール３０には、係合突起３０ａが３箇所に形成され、図１３に示すように、電子モジュール３０は係合突起３０ａが着脱自在の板状防振部材２２の電子モジュール取付穴２２Ｇにはまることで回り止めとなり、且つ電子モジュール固定用両面テープ３２で接合されるため電子モジュール３０が演奏時がたつくことがなく確実に密着している。
【００３４】
この電子モジュール３０は、サドル９２の後方で、かつネック９９と逆方向の位置に、板状防振部材２２の上面の取付部２２Ｅに配置されることで、マイクロフォン３０ｂが板状防振部材２２の上面に密着し、共鳴胴から音を拾い増幅することで、イヤフォン３１を通して消音された演奏を通常の音量で聴くことができる。
【００３５】
このように、電子モジュール３０がサドル９２の後方で、かつネック９９と逆方向の位置に、着脱自在な板状防振部材２２の上面の取付部２２Ｅに配置され、この電子モジュール３０の下部面のマイクロフォン３０ｂで弦楽器９０の内部の音をピックアップすることで良好な音で集音が可能となる。
【００３６】
また、電子モジュール３０をサドル９２の後方で、かつネック９９と逆方向の位置に配設することで、ストローク奏法時などでも演奏の邪魔にならない。さらに、電子モジュール３０によって音をピックアップする場所は、サドル９２の後方で、かつネック９９と逆方向の位置が良好な音色が得られ、またマイクロフォン３０ｂを直接共鳴胴９１に当てるより、板状防振部材２２を通過した音をマイクロフォン３０ｂで拾う方が良好な音質が得られる。
【産業上の利用可能性】
【００３７】
この発明は、ギター、バイオリン、マンドリン等の共鳴胴を有する弦楽器において、普段通りの弾き心地を損ねることなく、音量を抑制することが可能な消音具及び消音演奏具に適用可能であり、弦楽器に簡単かつ確実に取り付けることができ、かつ演奏感覚への違和感を最小限に抑え、楽器の音程と表現力にできるだけ影響を与えずに高い弱音効果を得られる。
【符号の説明】
【００３８】
１０  振動抑制器
１１，１２  一対の金属製錘
１１ａ，１２ａ  凹み部
１１ｂ  取り付け孔
１１ｃ，１２ｃ  連結ピン挿入穴
１１ｆ，１２ｆ  弦案内溝
１２ｂ，取り付けねじ孔
１３，１４  一対の締付ねじ
１５，１６一対のバネ
１７〜１９  ３本の連結ピン
２０，２１，２２  板状防振部材
２０ａ、２１ａ，２２ａ  シート取付凹部
２０ｂ  ，２１ｂ２２ｂ  両面接着テープ
２０ｃ，２１ｃ，２２ｃ  吸着シート
２１Ｄ，２２Ｄ  切り欠き部
２２Ｅ  電子モジュール取付突起
２２Ｇ  電子モジュール取付穴
３０  電子モジュール
３０ａ  係合突起
３０ｂ  マイクロフォン
３１  イヤフォン
３２  電子モジュール固定用両面テープ
９０弦楽器
９１  共鳴胴
９２  サドル
９３  弦
９４  ブリッジ
９５  サウンドホール
９９  ネック
【要約】      （修正有）【課題】音程や表現力、またタッチ感といった種々の演奏感覚の違和感を最小限に抑えながらも、弦楽器に対し高い弱音効果を挙げ、かつ簡単、確実に使用、取り付けが可能である。【解決手段】振動抑制器１０は、サドルの両側面を挟んで固定されるほぼ同質量の一対の金属製錘１１，１２を有し、一対の金属製錘１１，１２は、一対の締付ねじ１３，１４で固定され、さらに、一対の金属製錘１１，１２は、サドルに取り付けた弦に非接触とする凹み部を有する。また、板状防振部材は、シート取付凹部を有し、このシート取付凹部に両面接着テープによって吸着シートを貼付し、板状防振部材は、吸着シートによって共鳴胴に着脱自在である。共鳴胴を備えた弦楽器のサドルの後方で、かつネックと逆方向の位置に、着脱自在な板状防振部材の上面にイヤフォンを通して消音された演奏を通常の音量で聴くことを可能にする電子モジュールを有する。【選択図】図１【図１】
0004671251.tif 000002
【図２】
0004671251.tif 000003
【図３】
0004671251.tif 000004
【図４】
0004671251.tif 000005
【図５】
0004671251.tif 000006
【図６】
0004671251.tif 000007
【図７】
0004671251.tif 000008
【図８】
0004671251.tif 000009
【図９】
0004671251.tif 000010
【図１０】
0004671251.tif 000011
【図１１】
0004671251.tif 000012
【図１２】
0004671251.tif 000013
【図１３】
0004671251.tif 000014